(57)【要約】【課題】洗濯機などで丸洗いして、スリッパ内部に水分が浸入しても、乾燥させる場合に時間を要さず、しかも形崩れや変形の少ないスリッパを提供する。【解決手段】足底部１を上側体１ａおよび下側体１ｂから構成し、前記足底部１の上側体１ａの周辺と下側体１ｂの周辺を、両者の間に通気性の中空部Ｓａが形成されるようにして縫製したものとしている。さらに、足底部１を上側体１ａおよび下側体１ｂから構成すると共に、足甲部２を上側体２ａおよび下側体２ｂから構成し、前記足底部１の上側体１ａの周辺と下側体１ｂの周辺を、両者の間に通気性の中空部Ｓａが形成されるようにして縫製すると共に、前記足甲部２の上側体２ａの周辺と下側体２ｂの周辺を、両者の間に通気性の中空部Ｓｂが形成されるようにして縫製したものとしている。【選択図】図２
0003142967.tif 000002
【実用新案登録請求の範囲】
【請求項１】
足底部（１）を上側体（１ａ）および下側体（１ｂ）から構成し、前記足底部（１）の上側体（１ａ）の周辺と下側体（１ｂ）の周辺を、両者の間に通気性の中空部（Ｓａ）が形成されるようにして縫製したことを特徴とするスリッパ。
【請求項２】
足底部（１）を上側体（１ａ）および下側体（１ｂ）から構成すると共に、足甲部（２）を上側体（２ａ）および下側体（２ｂ）から構成し、前記足底部（１）の上側体（１ａ）の周辺と下側体（１ｂ）の周辺を、両者の間に通気性の中空部（Ｓａ）が形成されるようにして縫製すると共に、前記足甲部（２）の上側体（２ａ）の周辺と下側体（２ｂ）の周辺を、両者の間に通気性の中空部（Ｓｂ）が形成されるようにして縫製したことを特徴とするスリッパ。
【請求項３】
前記足底部（１）の上側体（１ａ）を合成繊維材からなるものとし、前記足底部（１）の下側体（１ｂ）を合成繊維材または合皮材からなるものとした請求項１記載のスリッパ。
【請求項４】
前記足底部（１）の上側体（１ａ）、足甲部（２）の上側体（２ａ）および下側体（２ｂ）を合成繊維材からなるものとし、前記足底部（１）の下側体（１ｂ）を、合成繊維材または合皮材からなるものとした請求項２記載のスリッパ。
【請求項５】
前記中空部（Ｓａ）内の空気が、使用者の手または足による押圧力により押し出されるようにした請求項１記載のスリッパ。
【請求項６】
前記中空部（Ｓａ、Ｓｂ）内の空気が、使用者の手または足による押圧力により押し出されるようにした請求項２記載のスリッパ。
【請求項７】
前記足底部（１）の上側体（１ａ）および下側体（１ｂ）を、それぞれ合成樹脂繊維体（１０ａ）を表側にし、軟質発泡樹脂体（１０ｂ）を裏側にして、両者をフレームラミネートで接着したものとした請求項１記載のスリッパ。
【請求項８】
前記足底部（１）の上側体（１ａ）および下側体（１ｂ）、足甲部（２）の上側体（２ａ）および下側体（２ｂ）を、それぞれ合成樹脂繊維体（１０ａ）を表側にし、軟質発泡樹脂体（１０ｂ）を裏側にして、両者をフレームラミネートで接着したものとした請求項２記載のスリッパ。
【請求項９】
前記足底部（１）の上側体（１ａ）を、合成樹脂繊維体（１０ａ）と軟質発泡樹脂体（１０ｂ）とをステッチ縫製（Ｗ）したものとした請求項７または８記載のスリッパ。
【考案の詳細な説明】
【技術分野】
【０００１】
この考案は、洗濯可能なスリッパに関するものである。
【背景技術】
【０００２】
従来、この種のスリッパは、例えば図７に示したように、ゴム、ビニールあるいはこれと同効資材よりなる柔弾性板１１と、ナイロン、テトロン等の化学繊維よりなる芯地１２を中核として、その表裏両面を織目の粗いタオル地、木綿布等の布片１３ａ、１３ｂで掩装したものとしている（特許文献１）。
【０００３】
このように構成したスリッパは、使用中に汚染した場合にも、その洗濯が容易なのに加え、中核体は水分を吸収しないので在来品のように厚紙を挿入したものと異なり、変形したり、過重したりすることがないとしている。それ故に、このように構成したスリッパは、乾燥も迅速に行われて体裁も良く、触感が良好で長期の使用に耐える等の効果があるとしている。
【０００４】
さらに、この種のスリッパは、例えば図８に示したように、底部２１の第一芯材２１ｂが耐水性を有する第一被覆材２１ａで被覆されており、足の甲の部分が当接する部分２２の第二芯材２２ｂが耐水性を有する第二被覆材２２ａで被覆されているものとしている。さらに、前記第一芯材２１ｂ、第二芯材２２ｂは耐水性および復元性を有しており、第二芯材２２ｂを除く第二被覆材２２ａと第一被覆材２１ａまたは第一被覆材２１ａと第一芯材２１ｂが連結されたものとしている。そして、前記第一芯材２１ｂ、第二芯材２２ｂに発泡または無発泡のゴムシート片または樹脂シートからなるシート片を使用し、第一被覆材２１ａ、第二被覆材２２ａにポリエステル繊維製の織物、編物または不織布のいずれかから成る被覆材を使用したものとしている（特許文献２）。
【０００５】
このように構成したスリッパは、芯材２１ｂ、芯材２２ｂに発泡または無発泡のゴムシート片または樹脂シート片を使用し、被覆材２１ａ、被覆材２２ａにポリエステル繊維製の織物、編物または不織布のいずれかを使用しているので、両者の熱や水などによる膨張率、収縮率が小さくかつ同程度であるので、洗濯してもスリッパ全体として縮みや歪みが生じにくくなり、洗濯による形崩れを防止することができるとしている。
【特許文献１】実公昭４３−２５３２０号公報（第２図）
【特許文献２】特開平１１ー１６４７０１号公報（図１）
【考案の開示】
【考案が解決しようとする課題】
【０００６】
しかしながら、上記従来の特許文献１に示されたスリッパでは、洗濯をするといっても、手洗いする程度であれば中核体は水分を吸収しないが、酷い汚れや悪臭等を除去するために洗濯機などで丸洗いする場合には、中核体にも水分が浸入してしまい、このようなときは、日干ししてもなかなか乾燥させることができず、乾燥に時間を要するという課題を有していた。
【０００７】
さらに、上記従来の特許文献２に示されたスリッパにおいても、洗濯機などで丸洗いする場合には、特許文献１に示されたスリッパと同様に、乾燥に時間を要するという課題を有していた。
【０００８】
そこで、この考案は、上記従来の課題を解決するものであり、洗濯機などで丸洗いして、スリッパ内部に水分が浸入しても、乾燥させる場合に時間を要さず、しかも形崩れや変形の少ないスリッパを提供することを目的としてなされたものである。
【課題を解決するための手段】
【０００９】
そのため、この考案のスリッパは、足底部１を上側体１ａおよび下側体１ｂから構成し、前記足底部１の上側体１ａの周辺と下側体１ｂの周辺を、両者の間に通気性の中空部Ｓａが形成されるようにして縫製したものとしている。
【００１０】
さらに、この考案のスリッパは、足底部１を上側体１ａおよび下側体１ｂから構成すると共に、足甲部２を上側体２ａおよび下側体２ｂから構成し、前記足底部１の上側体１ａの周辺と下側体１ｂの周辺を、両者の間に通気性の中空部Ｓａが形成されるようにして縫製すると共に、前記足甲部２の上側体２ａの周辺と下側体２ｂの周辺を、両者の間に通気性の中空部Ｓｂが形成されるようにして縫製したものとしている。
【００１１】
そして、この考案のスリッパは、前記足底部１の上側体１ａを合成繊維材からなるものとし、前記足底部１の下側体１ｂを合成繊維材または合皮材からなるものとしている。
【００１２】
さらに、この考案のスリッパは、前記足底部１の上側体１ａ、足甲部２の上側体２ａおよび下側体２ｂを合成繊維材からなるものとし、前記足底部１の下側体１ｂを、合成繊維材または合皮材からなるものとしている。
【００１３】
また、この考案のスリッパは、前記中空部Ｓａ内の空気が、使用者の手または足による押圧力により押し出されるようにしている。
【００１４】
さらに、この考案のスリッパは、前記中空部Ｓａ、Ｓｂ内の空気が、使用者の手または足による押圧力により押し出されるようにしている。
【００１５】
また、この考案のスリッパは、前記足底部１の上側体１ａおよび下側体１ｂを、それぞれ合成樹脂繊維体１０ａを表側にし、軟質発泡樹脂体１０ｂを裏側にして、両者をフレームラミネートで接着したものとしている。
【００１６】
さらに、この考案のスリッパは、前記足底部１の上側体１ａおよび下側体１ｂ、足甲部２の上側体２ａおよび下側体２ｂを、それぞれ合成樹脂繊維体１０ａを表側にし、軟質発泡樹脂体１０ｂを裏側にして、両者をフレームラミネートで接着したものとしている。
【００１７】
また、この考案のスリッパは、前記足底部１の上側体１ａを、合成樹脂繊維体１０ａと軟質発泡樹脂体１０ｂとをステッチ縫製Ｗしたものとしている。
【考案の効果】
【００１８】
この考案のスリッパは、以上に述べたように構成されているので、通気性の中空部の存在により、脱水機にかけたり、手で絞ることにより、スリッパ内部に浸入した水分の大部分を先に外部に排出し易くなると共に、また通気性の中空部の存在により、日干しした場合には乾燥し易くなるので、乾燥に時間を要さないもとなる。
【００１９】
さらに、この考案のスリッパは、通気性の中空部の存在により、この中空部内の空気を手などで押したり、戻したりして形を整えることができるので、形崩れや変形の少ないものとなる。
【考案を実施するための最良の形態】
【００２０】
以下、この考案のスリッパを実施するための最良の形態を、図面に基づいて詳細に説明する。
【００２１】
この考案のスリッパは、図に示したように、使用者の足の裏で踏まれる足底部１と、使用者の足の甲が保持される足甲部２から構成している。
【００２２】
前記足底部１は、上側体１ａおよび下側体１ｂから構成したものとしている。そして、この足底部１の上側体１ａの周辺と下側体１ｂの周辺を、両者の間に通気性の中空部Ｓａが形成されるようにして縫製したものとしている。なお、前記中空部Ｓａを通気性にするには、前記足底部１の上側体１ａおよび下側体１ｂの少なくとも何れか一方を、通気性にすればよい。
【００２３】
前記足甲部２は、上側体２ａおよび下側体２ｂから構成したものとしている。そして、この足甲部２の上側体２ａの周辺と下側体２ｂの周辺を、両者の間に通気性の中空部Ｓｂが形成されるようにして縫製したものとしている。なお、前記中空部Ｓｂを通気性にするには、前記足甲部２の上側体２ａおよび下側体２ｂの少なくとも何れか一方を、通気性にすればよい。
【００２４】
前記足底部１の上側体１ａ、足甲部２の上側体２ａおよび下側体２ｂは、合成繊維材からなるものとするのが、水切り、水はけなどが優れたものとなるので好ましく、前記足底部１の下側体１ｂは、合成繊維材または合皮材からなるものとするのが、水切り、水はけ、強度性などが優れたものとなるので好ましい。
【００２５】
前記中空部Ｓａ、Ｓｂ内に存在する空気は、使用者の手または足による押圧力により簡単に押し出されるようにするのが、通気性が程好いものとなり、手で水分を搾り出し易くなったり、手で形を整え易いものとなる。
【００２６】
この考案のスリッパは、足底部１の上側体１ａおよび下側体１ｂを、それぞれポリエステルなどの合成樹脂繊維体１０ａを表側にし、軟質ウレタンフォームなどの軟質発泡樹脂体１０ｂを裏側にして、両者をフレームラミネートで接着したものとしている。このようにすると、前記足底部１の上側体１ａおよび下側体１ｂが強度性に優れたものになると共にクッション性に富んだものとなり、洗濯機などで丸洗いした場合や、脱水機にかけたり、手で水分を搾り出す場合に力がかかっても、破損し難いものとなると共に、形崩れや変形の少ないものとなる。
【００２７】
この考案のスリッパは、足甲部２の上側体２ａおよび下側体２ｂを、それぞれポリエステルなどの合成樹脂繊維体１０ａを表側にし、軟質ウレタンフォームなどの軟質発泡樹脂体１０ｂを裏側にして、両者をフレームラミネートで接着したものとしている。このようにすると、前記足甲部２の上側体２ａおよび下側体２ｂが強度性に優れたものになると共にクッション性に富んだものとなり、洗濯機などで丸洗いした場合や、脱水機にかけたり、手で水分を搾り出す場合に力がかかっても、破損し難いものとなると共に、形崩れや変形の少ないものとなる。
【００２８】
さらに、この考案のスリッパは、足底部１の上側体１ａを、前記合成樹脂繊維体１０ａと軟質発泡樹脂体１０ｂとをフレームラミネートで接着すると共に、両者をステッチ縫製Ｗしたものとしている。このようにすると、前記足底部１の上側体１ａがより強度性に優れたものになり、この足底部１の上側体１ａは、使用時には使用者の体重が常にかかり、破損し易い場所であるにもかかわらず、洗濯機などで丸洗いした場合や、脱水機にかけたり、手で水分を搾り出す場合にも、破損し難いものとなると共に、形崩れや変形の少ないものとなる。なお、前記足底部１の上側体１ａの合成樹脂繊維体１０ａと軟質発泡樹脂体１０ｂとをステッチ縫製Ｗするには、図示したような、四角模様、シマ模様、チェック模様、星形模様など、各種の模様にすることができる。
【００２９】
以上に述べたように構成されたこの考案のスリッパは、通常の使用時には使用者の歩行中の足踏みにより、足底部１の中空部Ｓａ内の空気が入れ替えられるので、湿気を帯びることなく、足がムレないものとなり、また足底部１の軟質発泡体１０ｂや足甲部２の軟質発泡体１２ｂによってクッション性に富んだものとなり、履き心地がよくなる。
【００３０】
さらに、この考案のスリッパは、足底部１の中空部Ｓａ内や足甲部２の中空部Ｓｂ内の空気を手で押し出して、折り畳んでおけば、携帯時などに嵩張ることのないものとなるなど、洗濯時以外にも、優れた効果を有するものとなる。
【図面の簡単な説明】
【００３１】
【図１】この考案のスリッパの一実施形態を示す斜視図である。
【図２】図１に示すこの考案のスリッパのＡ−Ａ線断面図である。
【図３】図１に示すこの考案のスリッパのＢ−Ｂ線断面図である。
【図４】この考案のスリッパの足底部のステッチ縫製の一例を示す説明図である。
【図５】この考案のスリッパの足底部のステッチ縫製の他の例を示す説明図である。
【図６】この考案のスリッパの足底部のステッチ縫製のさらに他の例を示す説明図である。
【図７】従来のスリッパの一例を示す側断面図である。
【図８】従来のスリッパの他の例を示す側面図である。
【符号の説明】
【００３２】
１  足底部
１ａ  上側体
１ｂ  下側体
２  足甲部
２ａ  上側体
２ｂ  下側体
１０ａ  合成樹脂繊維体
１０ｂ  軟質発泡樹脂体
Ｓａ  中空部
Ｓｂ  中空部
Ｗ  ステッチ縫製
【図１】
0003142967.tif 000003
【図２】
0003142967.tif 000004
【図３】
0003142967.tif 000005
【図４】
0003142967.tif 000006
【図５】
0003142967.tif 000007
【図６】
0003142967.tif 000008
【図７】
0003142967.tif 000009
【図８】
0003142967.tif 000010